(57)【要約】【課題】産卵の大規模な管理を可能にし、胚の生存能力を確保し、その管理に必要とされる空間を削減する、タコのための孵化手順および孵卵器が提示される。【解決手段】孵化手順は、巣の蓋への卵の支えを促進するように設計された巣の中でメスが卵を堆積すると開始する。そのような蓋は、タコの胚の成長に好都合な環境を提供する制御された条件下で海水の再循環を伴う孵化システムに設置される。研究室における試験で得られた結果では、このシステムは、メスが卵を世話する場合に得られるものと同じくらい有効であり、人工孵化システムは、狭い空間、少ない水で済み、養殖システムの産物としてメスを並べることが可能であるという利点を持つことを明らかにした。【選択図】図１
2012501673.tif 000002
【特許請求の範囲】
【請求項１】
長方形または台形の形状の本体を有し、底部と、後壁と、側壁と、開放前端と、上部にて滑り可能な蓋とを含む箱を備え、前記蓋は前記底部より広い、タコ、イカ、頭足類、および類似の種の卵の孵化のための巣であって、
前記側壁の上部にて、当該巣は、前記箱の縁に沿って走る溝形材を有し、前記蓋は滑り可能に設置され、
前記溝形材は、蓋の滑りと支持とを可能にするとともに、前記箱の構造を硬くするのに十分な程硬く、
当該巣の前記後壁は、固定され、滑り可能な前記蓋の止め具をなし、
前記滑り可能な蓋の内面は、粗い表面を有し、
粗さの深さは、無作為であるか、または可変の深さを持つ定義されたパターンであり、
前記箱は、タコが出入りできるように開放末端を有し、
前記蓋は２つの取っ手を有して、その取り扱いを向上させる巣。
【請求項２】
前記後壁は、前記箱の内部での水の循環を円滑にする穴または溝を有することを特徴とする、請求項１に記載のタコの卵の孵化のための巣。
【請求項３】
前記蓋の粗さの深さは、１〜８０ｍｍの間で可変であることを特徴とする、請求項１に記載のタコの卵の孵化のための巣。
【請求項４】
前記粗さは、定義されたパターンまたは無作為のパターンであることを特徴とする、請求項１または３に記載のタコの卵の孵化のための巣。
【請求項５】
前記箱の寸法は、タコ、イカ、頭足類、または類似の種の大きさによって変化することを特徴とする、請求項１に記載のタコの卵の孵化のための巣。
【請求項６】
台形の断面を有し、前記箱の外側に向かって突出し、当該巣の蓋を受ける支持縁を上端に有する、長方形のタンクを含むことを特徴とする、タコの卵のための孵卵器であって、
前記縁は、境界縁を有し、その下部で箱支持要素として役立つものであり、
当該孵卵器は、一方の末端に海水供給分配器を有し、
前記分配器を通って流れる水は、栓によって制御され、
もう一方の末端に、当該孵卵器は、排水路として役立ち、水のレベルを保つ機能をする管を有し、
同様に、前記水分配器を有する前記末端で、当該孵卵器は、気泡の流れを作り、「エアリフト」と命名された空気と水との分配器要素として役立つ多孔質体に向けて、一定の空気の流れを運ぶホースを受ける穴を上部に有する、９０度の屈曲部に連結された管を有し、
前記排水路は、閉鎖容器に水を運び、熱交換器と、ＵＶランプと、深い床フィルターとにポンプで水を運び、好ましくは６０％の無煙炭と１５％の砂利とで満たされ、残りの体積は空である水回収システムに接続された、前記分配器と反対の末端に位置する管を含み、
前記回収タンクは、ポンプと、ポンプのオーバーヘッドを防ぐ弁制御再循環システムとを有する孵卵器。
【請求項７】
液体の流れが供給されるように、種によって異なった位置に設置される分配器を含み、前記分配器は、当該孵卵器の幅の方向に対して設置される末端が閉鎖し穴を開けた管、ホース、洗浄器、または水分配用の装置から成っていることを特徴とする、請求項６に記載のタコの卵のための孵卵器。
【請求項８】
前記「エアリフト」の高さが水柱の高さによって決定される、請求項６または７に記載のタコの卵のための孵卵器。
【請求項９】
手順が、産卵のための避難として、卵巣を発達させているメスに巣が提供されると開始する、タコ、イカ、頭足類、または類似の種の卵の孵化手順であって、
前記巣は、台形の断面を有する５００Ｌ〜１０００Ｌの長方形の黒色タンクに設置され、いったんメスが巣に入ると、卵を堆積し、
いったん卵が堆積されたら、蓋を、取っ手で引き抜き、横方向に置き、縁のレベルまで水で満たし卵を完全に海水に沈めることを可能にする孵卵器内の側縁上で支え、
次いで、分配器によって前記孵卵器内で水の流れを作り、
過剰な水は、閉鎖タンクに運ばれ、後にポンプで熱交換器に運ばれ、
さらに、水はＵＶランプを通過し、そこで細菌および病原体微生物が殺傷され、
最終的に、水は深い床フィルターに運ばれ、そこでアンモニウム、亜硝酸塩および硝酸塩の分子が、無煙炭の３〜５ミクロンの濾過特性によって保持され、
処理された水は前記孵卵器に再供給されることを特徴とする手順。
【請求項１０】
温度が各種の生物学的要求に従って調整されることを特徴とする、請求項９に記載のタコ、イカ、頭足類、または類似の種の卵の孵化手順。
【請求項１１】
請求項１〜５に記載の巣を伴った、タコ、イカ、頭足類、または類似の種の卵の孵化手順。
【請求項１２】
請求項６および７に記載の孵卵器を伴った、タコ、イカ、頭足類、または類似の種の卵の孵化手順。
【発明の詳細な説明】
【技術分野】
【０００１】
産卵の大規模な管理を可能にし、胚の生存能力を確保し、その管理に必要な空間を削減する孵卵器とともに、タコ、イカ、頭足類、および類似の種のための孵化手順を提示する。
【背景技術】
【０００２】
Ｖ．Ｆ．ＶＡＮ  ＨＥＵＫＥＬＥＭによって１９７７年に公表された文書（ユカタン地方のタコ（オクトパス・マヤ、Ｏｃｔｏｐｕｓ  ｍａｙａ）の研究室における維持、繁殖、飼育、および生物医学的研究の可能性、下記非特許文献１）の中で、その円錐の底から来る水流に卵をさらす縦型の孵卵器を用いた、幼若なオクトパス・マヤの維持および孵化条件が提示された。この孵卵器によって胚の成長は可能になるが、この種の大規模な産卵にはそれは適さないことが示された。
【０００３】
異なる種のタコで行われた他の研究（Ｂｏｄｙ  Ｉｇｎａｔｉｕｓ  ａｎｄ  Ｍ．Ｓｒｉｎｉｖａｓａｎ、２００６年、オクトパス・エグニア・グレイ（Ｏｃｔｏｐｕｓ  ａｅｇｎｉａ  Ｇｒａｙ）における胚の成長、下記非特許文献２）は、孵化することができない未熟な卵を生むので、タコの卵の人工孵化は有効ではないことを見い出した。さらに、オクトパス・バルガリス（Ｏｃｔｏｐｕｓ  ｖｕｌｇａｌｉｓ）で行われた観察は、この種の胚は人工孵化によって適切に成長しないことを示した（Ｃａｇｎｅｔａ、２０００年）。
【先行技術文献】
【非特許文献】
【０００４】
【非特許文献１】Ｖ.Ｆ．ＶＡＮ  ＨＥＵＫＥＬＥＭ外，(１９７７) ，Ａｍｅｒｉｃａｎ  Ａｓｓｏｃｉａｔｉｏｎ  ｆｏｒ  Ｌａｂｏｒａｔｏｒｙ  Ａｎｉｍａｌ  Ｓｃｉｅｎｃｅ，Ｖｏｌ.２７，Ｎｏ．５
【非特許文献２】Ｂｏｄｙ  Ｉｇｎａｔｉｕｓ外，（２００６），Ｃｕｒｒｅｎｔ  Ｓｃｉｅｎｃｅ  ９１（８），Ｐ.１０８９−１０９２
【発明の概要】
【発明が解決しようとする課題】
【０００５】
産卵の大規模な管理を可能にし、胚の生存能力を確保し、その管理に必要な空間を削減する孵卵器とともに、タコ、イカ、頭足類、および類似の種のための孵化手順を提示する。
【課題を解決するための手段】
【０００６】
タコ、イカ、およびその他の頭足類または類似の種の繁殖を限られたものとしているのは、適切な成長条件の欠如に由来する胚の喪失である。メスがその世話を委ねられた胚を放棄するまたは食することが多く、それによって生産系の収率が低下する。オクトパス・バルガリスのメスは卵を放棄しない、または食さないが、それらを生かし続けるのに大量の良質な水を必要とするので、繁殖容器のために大型の維持タンクを必要とする。
【０００７】
他方で、卵の世話をしているメスは、孵化の間、生き続けるためにその体内貯蔵物を使い、それによって死んでしまうようである。その結果、その栄養価を失くしたためにメスは廃棄される。
本発明は、制御された条件下でのタコの胚の成長における今日までに認められた欠点を克服する孵化の巣（１）と、孵卵器と、手順との構成を検討する。
【図面の簡単な説明】
【０００８】
【図１】巣
【図２】孵卵器
【図３】空気分配システム
【図４】孵化手順
【図５】孵卵器
【図６】循環手順
【図７】水分配システム
【発明を実施するための形態】
【０００９】
巣（図１）は、長方形または台形の形状の本体（１）を有し、底部（３）と、後壁（４）と、側壁と、開放前端と、上部にて滑り可能な蓋とを含む箱から成り、蓋（２）は底部より広い。巣は、側壁上部にて、箱端に沿って走る溝（溝形材）（５）を有し、蓋は滑り可能に設置される。溝は、蓋の滑りと支持とを可能にするとともに、箱の構造を硬くするのに十分な程硬い。巣の後壁（４）は、固定され、滑り可能な蓋の止め具である。この壁は、箱の内部の水の循環を円滑にする穴または溝を有してもよい。滑り可能な蓋（２）の内面は、不規則で粗い表面を有する。粗さの深さは、無作為であってもよく、または１〜５ｍｍの可変の深さを持つ定義されたパターンであってもよい。箱は、タコが出入りできるように開放末端を有する。さらに、蓋は２つの取っ手（６）を有し、その取り扱いを向上させる。
【００１０】
オクトパス・マヤのために、箱は以下の寸法、すなわち、２５〜３５ｃｍの長さ、１５〜２５ｃｍの幅、および１５〜２５ｃｍの高さを有する。箱の寸法は、タコ、イカ、一般に頭足類、または類似の種の大きさによって変化してもよい。
孵卵器（図２）は、上端で箱の内側に向かって突出し、巣の蓋を受ける支持枠（８）を有する、台形の断面を有する矩形のタンク（７）から成る。これらの枠は、境界端（９）を有し、その下部で箱支持要素として役立つ。孵卵器は、海水供給分配器（１０）を有する。この分配器は、穴を開けた管、ホース、洗浄器、または異なる位置での水の分配を可能にするその他の任意の装置であってもよい。水分配器は、表面に設置してもよいし、扱う種によって必要とされる高さに設置してもよい。この分配器は、孵卵器の幅の方向に対して位置し、末端を閉鎖した管（１１）であって、穴を開けた管（１１）から成る。その中間部にて、この管は供給弁調節管（１２）によって供給される。分配器を通して流れる水は、栓（１２）によって制御される。もう一方の末端で、孵卵器は、排水路として役立つ管（１３）を有し、それにより水のレベルも保つ。同様に、水分配器を有する末端で、孵卵器は、屈曲部（図３）（１４）に連結された管を有する。屈曲部は、気泡の流れを作る多孔質体（１７）であって、「エアリフト」と命名された空気と水との分配器要素として役立つ多孔質体（１７）に向かって一定の空気の流れを運ぶホース（１６）を受け取る穴を上部（１５）に有する。排水路は、閉鎖容器（１８）に水を運び、熱交換器と、ＵＶランプと、深い床フィルターとにポンプで水を運び、好ましくは無煙炭（６０％）と砂利（１５％）とで満たされ（図示せず）、残りの体積は空である水回収システムに接続された、分配器と反対の末端に位置する管を含む。回収タンクは、ポンプ（１９）と、ポンプのオーバーヘッドを防ぐ弁制御再循環システム（２０）とを有する。
【００１１】
孵化タンクは、積み重ね可能で、保存される際、占有空間が狭いので、設計において有利である。
孵化手順
この手順は、産卵のための避難として、卵巣を発達させているメス（２２）に巣（１）が提供される（２３）と開始する（図４）。巣（１）は、種によって、台形の断面を有する５００Ｌ〜１０００Ｌの矩形のタンク（図５）（２１）に設置される。いったんメスが巣に入ると、巣の蓋の内面に卵を堆積する（２４）。蓋の粗さは、メスによって隠された卵を固定する構造の支え（アンカー）を促進する。さらに、この手順は、産卵および成長の間、質の高い海水の使用を考慮する。いったん産卵が開始すると、オクトパス・マヤのメスがすべての卵を堆積するのに５日かかる。いったん卵が堆積されたら、蓋を、取っ手で引き抜き（２５）、横方向に置き（２６）、縁のレベルまで水で満たした孵卵器（７）内の側縁（９）上で支える。使用する頭足類の種類によって、孵卵器の条件を設定する。これによって確実に卵を完全に海水に沈める。孵化手順の条件は、手順に影響を及ぼす変動を回避して、設定した範囲内でできるだけ安定した状態に保たれるべきである。
【００１２】
水の再循環手順（図６）は、孵卵器の外の管であり、それによって過剰な水を孵卵器（７）から漏らす排水路（１３）から来る水とともに開始する。過剰な水は、閉鎖タンク（１８）に運ばれ、後にポンプ（１９）で熱交換器（２８）に運ばれ、そこで、水は特定の温度で保たれる。次いで、水はＵＶランプ（２９）を通過し、そこで細菌および病原体微生物が殺傷される。最終的に、水は深い床フィルター（３０）に運ばれ、そこでアンモニウム、亜硝酸塩および硝酸塩の分子が、無煙炭の濾過特性（３〜５ミクロン）によって保持される。そのように処理された水は孵卵器に再供給される。孵化手順は、４５〜５５日のおおよその期間を有するが、これは種によって異なり、出生率は、孵化した卵の合計の９０〜９４％に等しい。
【実施例】
【００１３】
オクトパス・マヤの親による世話と孵卵器の有効性とを比較するために行われた試験では、人工的に孵化し、観察された出生率は、卵がメスによって抱卵される場合の出生率と非常に似ていた。両者の場合では、合計２５回の産卵が、この種についての胚の成長過程における孵卵器の有効性を証拠付けるのに十分であると見なされ、いったん産卵が終わると、メスを商業用の製品とする利点を有している。
【図１】
2012501673.tif 000003
【図２】
2012501673.tif 000004
【図３】
2012501673.tif 000005
【図４】
2012501673.tif 000006
【図５】
2012501673.tif 000007
【図６】
2012501673.tif 000008
【図７】
2012501673.tif 000009
【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
長方形または台形の形状の本体を有し、底部と、後壁と、側壁と、開放前端と、上部にて滑り可能な蓋とを含む箱を備え、前記蓋は前記底部より広い、タコ、イカ、頭足類、および類似の種の卵の孵化のための巣であって、
前記側壁の上部にて、当該巣は、前記箱の縁に沿って走る溝形材を有し、前記蓋は滑り可能に設置され、
前記溝形材は、蓋の滑りと支持とを可能にするとともに、前記箱の構造を硬くするのに十分な程硬く、
当該巣の前記後壁は、固定され、滑り可能な前記蓋の止め具をなし、
前記滑り可能な蓋の内面は、粗い表面を有し、
粗さの深さは、無作為であるか、または可変の深さを持つ定義されたパターンであり、
前記箱は、タコ、頭足類、または類似の種が出入りできるように開放末端を有し、
前記蓋は２つの取っ手を有して、その取り扱いを向上させる巣。
【請求項２】
前記後壁は、前記箱の内部での水の循環を円滑にする穴または溝を有することを特徴とする、請求項１に記載のタコ、頭足類、および類似の種の卵の孵化のための巣。
【請求項３】
前記蓋の粗さの深さは、１〜８０ｍｍの間で可変であることを特徴とする、請求項１に記載のタコの卵の孵化のための巣。
【請求項４】
前記粗さは、定義されたパターンまたは無作為のパターンであることを特徴とする、請求項１または３に記載のタコの卵の孵化のための巣。
【請求項５】
前記箱の寸法は、タコ、イカ、頭足類、または類似の種の大きさによって変化することを特徴とする、請求項１に記載のタコ、頭足類、または類似の種の卵の孵化のための巣。
【請求項６】
台形の断面を有し、前記箱の外側に向かって突出し、当該巣の蓋を受ける支持縁を上端に有する、長方形のタンクを含むことを特徴とする、タコ、頭足類、または類似の種の卵のための孵卵器であって、
前記縁は、境界縁を有し、その下部で箱支持要素として役立つものであり、
当該孵卵器は、一方の末端に海水供給分配器を有し、
前記分配器を通って流れる水は、栓によって制御され、
もう一方の末端に、当該孵卵器は、排水路として役立ち、水のレベルを保つ機能をする管を有し、
同様に、前記水分配器を有する前記末端で、当該孵卵器は、気泡の流れを作り、「エアリフト」と命名された空気と水との分配器要素として役立つ多孔質体に向けて、一定の空気の流れを運ぶホースを受ける穴を上部に有する、９０度の屈曲部に連結された管を有し、
前記排水路は、閉鎖容器に水を運び、熱交換器と、ＵＶランプと、深い床フィルターとにポンプで水を運び、好ましくは６０％の無煙炭と１５％の砂利とで満たされ、残りの体積は空である水回収システムに接続された、前記分配器と反対の末端に位置する管を含み、
前記回収タンクは、ポンプと、ポンプのオーバーヘッドを防ぐ弁制御再循環システムとを有する孵卵器。
【請求項７】
液体の流れが供給されるように、種によって異なった位置に設置される分配器を含み、前記分配器は、当該孵卵器の幅の方向に対して設置される末端が閉鎖し穴を開けた管、ホース、洗浄器、または水分配用の装置から成っていることを特徴とする、請求項６に記載のタコ、頭足類、または類似の種の卵のための孵卵器。
【請求項８】
前記「エアリフト」の高さが水柱の高さによって決定される、請求項６または７に記載のタコ、頭足類、または類似の種の卵のための孵卵器。
【請求項９】
手順が、産卵のための避難として、卵巣を発達させているメスに巣が提供されると開始する、タコ、イカ、頭足類、または類似の種の卵の孵化手順であって、
前記巣は、台形の断面を有する５００Ｌ〜１０００Ｌの長方形の黒色タンクに設置され、いったんメスが巣に入ると、卵を堆積し、
いったん卵が堆積されたら、蓋を、取っ手で引き抜き、横方向に置き、縁のレベルまで水で満たし卵を完全に海水に沈めることを可能にする孵卵器内の側縁上で支え、
次いで、分配器によって前記孵卵器内で水の流れを作り、
過剰な水は、閉鎖タンクに運ばれ、後にポンプで熱交換器に運ばれ、
さらに、水はＵＶランプを通過し、そこで細菌および病原体微生物が殺傷され、
最終的に、水は深い床フィルターに運ばれ、そこでアンモニウム、亜硝酸塩および硝酸塩の分子が、無煙炭の３〜５ミクロンの濾過特性によって保持され、
処理された水は前記孵卵器に再供給されることを特徴とする手順。
【請求項１０】
温度が各種の生物学的要求に従って調整されることを特徴とする、請求項９に記載のタコ、イカ、頭足類、または類似の種の卵の孵化手順。
【請求項１１】
請求項１〜５に記載の巣を伴った、タコ、イカ、頭足類、または類似の種の卵の孵化手順。
【請求項１２】
請求項６および７に記載の孵卵器を伴った、タコ、イカ、頭足類、または類似の種の卵の孵化手順。
【請求項１３】
巣の中のメスから得られ、孵卵器で成長させたタコ、頭足類、および類似の種の卵を含み、前記手順によって、タコ、頭足類、または類似の種の海の外のタンクの中での養殖を可能にする胚の成長が達成されたことを特徴とする、請求項９〜１２の前記手順によって得られる産物。
【国際調査報告】
2012501673.tif 000010
2012501673.tif 000011
2012501673.tif 000012
2012501673.tif 000013
2012501673.tif 000014
2012501673.tif 000015